(57)【要約】【課題】  丁合帳票や窓付封筒等の貼着積層体における面剥離規制手段を提供する。【解決手段】  一方の紙基材２ａと、他方の紙基材２ａ（またはその他のフィルム基材２ｂ）とが重ね合わせられて、両基材２ａ，２ａの一部が接着剤層３により接合された貼着積層体にあって、前記接着剤層３の近傍で、該接着剤層３により接合される紙基材２ａの接合面に、両基材２ａ，２ａの分離操作時に生じる面剥離６の進行を遮断するハーフカット状の切込み線５を形成した。これにより、両基材２ａ，２ａの分離操作時に生じる面剥離６がハーフカット状の切込み線５に達すると、該切込み線５で面剥離６の進行を遮断することができるとともに、両基材２ａ，２ａを簡単に分離することができる。【選択図】  図３
2005119055.tif 000002
【特許請求の範囲】
【請求項１】
一方の紙基材と、他方の紙基材またはその他のフィルム基材とが重ね合わせられて、両基材の一部が接着剤層により接合された貼着積層体において、
前記接着剤層の近傍で、該接着剤層により接合される紙基材の接合面に、両基材の分離操作時に生じる面剥離の進行を遮断するハーフカット状の切込み線が形成されていることを特徴とする貼着積層体における面剥離規制手段。
【請求項２】
貼着積層体が、複数の紙基材を重ね合わせて、各紙基材の一側縁相互を接着剤層によって接合することにより一体化される丁合帳票であって、ハーフカット状の切込み線が、前記接着剤層の近傍で、紙基材の中央部側に形成されていることを特徴とする請求項１記載の貼着積層体における面剥離規制手段。
【請求項３】
ハーフカット状の切込み線が、重ね合わされる上下の紙基材の、その下側の紙基材の表面に形成されていることを特徴とする請求項２記載の貼着積層体における面剥離規制手段。
【請求項４】
貼着積層体が、窓部が形成された、紙基材からなる封筒本体と、該窓部の周縁裏面に接着剤層によって接合されて該窓部を遮蔽する透明なフィルム基材とを備えた窓付封筒であって、ハーフカット状の切込み線が、前記フィルム基材を囲繞するように形成されていることを特徴とする請求項１記載の貼着積層体における面剥離規制手段。
【発明の詳細な説明】
【技術分野】
【０００１】
本発明は、丁合帳票や窓付封筒等の貼着積層体における面剥離規制手段に関する。
【背景技術】
【０００２】
貼着積層体としては、複数の帳票用紙を重ね合わせ、各帳票用紙の一側縁相互を剥離可能に接合することにより一体化される丁合帳票（例えば、特許文献１参照）や、封筒本体に形成した窓部を透明フィルムで遮蔽した窓付封筒（例えば、特許文献２参照）が知られている。
【０００３】
丁合帳票は、図９（イ），（ロ）に示すように、各帳票用紙ａの一側縁に沿って弱接着性接着剤を塗布して接着剤層ｂを形成し、該接着剤層ｂによって上下に重ね合わせられる各帳票用紙ａの一側縁相互を接合することにより一体化されたものであって、各帳票用紙ａは、弱接着性接着剤の弱接着作用を介して一枚ずつ剥離して使用し得るようになっている。尚、前記接着剤層ｂは、図示したように、弱接着性接着剤を帯状に塗布して形成する場合と、弱接着性接着剤を所定間隔で点状に塗布して形成する場合がある。
【０００４】
一方、窓付封筒は、図１０（イ），（ロ）に示すように、紙基材からなる封筒本体ｃに窓部ｄを形成するとともに、該窓部ｄの周縁裏面に完全接着性接着剤を塗布して接着剤層ｅを形成し、該接着剤層ｅによって透明なフィルム基材ｆを接合することにより、窓部ｄを該フィルム基材ｆで透視可能に遮蔽するようにしたものであって、封筒内に封入される内容物に記載した送付先の住所・氏名等の所要情報を窓部ｄから目視できるようにし、以て封筒表面への送付先の記載作業を不要にして事務能率を向上し得るようになっている。
【特許文献１】特開平１１−２２７３６１号公報
【特許文献２】実開昭６０−１６１０４５号公報
【発明の開示】
【発明が解決しようとする課題】
【０００５】
ところで、上記のような丁合帳票にあっては、各帳票用紙ａの一側縁相互を剥離可能に接合する接着剤層ｂの接合力の調整が難しく、帳票用紙ａの紙質や接着剤の塗布量によって接合力が変動するため、接合力が弱すぎると各帳票用紙ａが不要に分離し、逆に接合力が強すぎると各帳票用紙ａの分離操作時に、図１１（イ），（ロ）に示すように、帳票用紙ａの表面が剥がれるように厚み方向で断裂する面剥離ｇが発生して、帳票用紙ａに記載されている情報が損傷し、読めなくなるという問題点があった。
【０００６】
一方、故紙の再利用においては、再生紙の原料となる故紙に合成樹脂等の不純物が混ざっていてはならない。従って、使用済みの窓付封筒を再生紙の原料にする場合には、紙基材からなる封筒本体ｃからフィルム基材ｆを除去する必要がある。しかしながら、完全接着性接着剤によって封筒本体ｃに対して強固に接合されているフィルム基材ｆを封筒本体ｃから引き剥がそうとすると、接合部に上述した面剥離ｇ（図１１参照）が発生し、多くの紙基材がフィルム基材ｆに残留することとなる。このため、再利用できる紙部分をできるだけ多く回収するには、残留した紙基材を何度もフィルム基材ｆから破り取る面倒な作業が必要であり、封筒本体ｃとフィルム基材ｆとの分離を容易に行うことができないという問題点があった。
【０００７】
本発明は、かかる問題点を解消し得る貼着積層体における面剥離規制手段を提供することを目的とするものである。
【課題を解決するための手段】
【０００８】
本発明は、一方の紙基材と、他方の紙基材またはその他のフィルム基材とが重ね合わせられて、両基材の一部が接着剤層により接合された貼着積層体において、前記接着剤層の近傍で、該接着剤層により接合される紙基材の接合面に、両基材の分離操作時に生じる面剥離の進行を遮断するハーフカット状の切込み線が形成されていることを特徴とする貼着積層体における面剥離規制手段である。
【０００９】
ここで、上記接着剤層の形成には、完全接着性接着剤が用いられる。これにより、両基材の分離操作時に、該接着剤層の強い接合力によって、紙基材の表面が剥がれるように厚み方向で断裂する面剥離を積極的に生じさせ、該面剥離がハーフカット状の切込み線に達すると、その進行が遮断されるとともに、該切込み線で両基材が分離されることとなる。
【００１０】
上記構成にあって、貼着積層体が、複数の紙基材を重ね合わせて、各紙基材の一側縁相互を接着剤層によって接合することにより一体化される丁合帳票である場合には、ハーフカット状の切込み線が、前記接着剤層の近傍で、紙基材の中央部側に形成されている構成が提案される。
【００１１】
また、このように貼着積層体が丁合帳票である場合には、ハーフカット状の切込み線が、重ね合わされる上下の紙基材の、その下側の紙基材の表面に形成されている構成が提案される。
【００１２】
また、前記構成にあって、貼着積層体が、窓部が形成された、紙基材からなる封筒本体と、該窓部の周縁裏面に接着剤層によって接合されて該窓部を遮蔽する透明なフィルム基材とを備えた窓付封筒である場合には、ハーフカット状の切込み線が、前記フィルム基材を囲繞するように形成されている構成が提案される。
【発明の効果】
【００１３】
本発明は、上述したように、一方の紙基材と、他方の紙基材またはその他のフィルム基材とが重ね合わせられて、両基材の一部が接着剤層により接合された貼着積層体において、前記接着剤層の近傍で、該接着剤層により接合される紙基材の接合面に、両基材の分離操作時に生じる面剥離の進行を遮断するハーフカット状の切込み線が形成されていることを特徴とする貼着積層体における面剥離規制手段であるから、両基材の分離操作時に生じる面剥離がハーフカット状の切込み線に達すると、該切込み線で面剥離の進行を遮断することができるとともに、両基材を分離することができる。これにより、面剥離が切込み線を越えて広がることがなく、また、両基材の分離を容易に行うことができる。
【００１４】
そして、上記貼着積層体が、複数の紙基材を重ね合わせて、各紙基材の一側縁相互を接着剤層によって接合することにより一体化される丁合帳票である場合に、ハーフカット状の切込み線を、前記接着剤層の近傍で、紙基材の中央部側に形成するように構成すれば、接着剤層を完全接着性接着剤を用いて形成し得るので、複数の紙基材からなる各帳票用紙の不要の分離が防止されるとともに、各帳票用紙の分離操作時には、面剥離が帳票用紙の中央部側に及ぶことなく、その分離を行うことができる。
【００１５】
また、上記のように構成される貼着積層体としての丁合帳票にあって、ハーフカット状の切込み線を、重ね合わされる上下の紙基材の、その下側の紙基材の表面に形成するようにすれば、分離操作時に、面剥離が帳票用紙の中央部側に及ぶことがないため、下側の帳票用紙の表面に記載されている情報が面剥離によって損傷することがない。
【００１６】
また、前記構成にあって、貼着積層体が、窓部が形成された、紙基材からなる封筒本体と、該窓部の周縁裏面に接着剤層によって接合されて該窓部を遮蔽する透明なフィルム基材とを備えた窓付封筒である場合に、ハーフカット状の切込み線を、前記フィルム基材を囲繞するようにして形成すれば、該切込み線で囲繞された内側部分に生じる面剥離によって、フィルム基材と封筒本体とを容易に分離することができる。これにより、使用済みの窓付封筒を再生紙の原料にする場合に、フィルム基材に残留する紙基材を最小量にした状態で、窓付封筒からフィルム基材を簡単に除去することができる。
【発明を実施するための最良の形態】
【００１７】
本発明にかかる貼着積層体における面剥離規制手段は、図２，図８に示すように、一方の紙基材２ａと、他方の紙基材２ａ（図２参照）またはその他のフィルム基材２ｂ（図８参照）とが重ね合わせられて、両基材２ａ，２ａ（または両基材２ａ，２ｂ）の一部が接着剤層３により接合された貼着積層体にあって、前記接着剤層３の近傍で、該接着剤層３により接合される紙基材２ａの接合面に、両基材２ａ，２ａ（または両基材２ａ，２ｂ）の分離操作時に生じる面剥離６（図３参照）の進行を遮断するハーフカット状の切込み線５が形成されていることを特徴としている。
【００１８】
以下に本発明の第一実施例を、図１〜図４に基づいて説明する。この第一実施例は、貼着積層体としての丁合帳票１Ａに本発明を適用したものである。丁合帳票１Ａは、図１に示すように、帳票用紙として矩形状に形成された複数の紙基材２ａを備えている。重ね合わされる上下の紙基材２ａ，２ａの、その下側となる紙基材２ａの表面には、該紙基材２ａの一側縁に沿って完全接着性接着剤を帯状に塗布した接着剤層３が形成されており、該接着剤層３によって、各紙基材２ａの一側縁相互が接合されている。尚、丁合帳票１Ａは、配送伝票等に用いられる複写帳票仕様となっており、最上層紙の紙基材２ａに所要情報を記入すると、その情報が複写層（図示省略）を介して下側の各紙基材２ａに複写されるように構成されている。また、各紙基材２ａの表面には、所定フォームの事前印刷（図示省略）が施されている。
【００１９】
そして、上記のように一側縁相互が接着剤層３によって接合される各紙基材２ａの内、最上層紙以外の各紙基材２ａの表面には、前記接着剤層３の近傍で、紙基材２ａの中央部側に位置させて、ハーフカット状の切込み線５が各紙基材２ａの一側縁に沿って直線状に形成されている。ここで該切込み線５は、図２に示すように、紙厚を切断しない程度の切込みとなっている。
【００２０】
かかる構成にあって、複数の紙基材２ａを重ね合わせて一側縁相互を接合した丁合状態においては、完全接着性接着剤からなる接着剤層３の強い接合力によって、帳票用紙としての各紙基材２ａが不要に分離することなく保持される。また、各紙基材２ａの分離操作時には、図３，図４に示すように、紙基材２ａの表面が剥がれるように厚み方向で断裂する面剥離６が生じ、該面剥離６がハーフカット状の切込み線５に達すると、その進行が遮断されるとともに、該切込み線５で上下の両基材２ａ，２ａを分離させることができる。また、ハーフカット状の切込み線５が、下側の紙基材２ａの表面に、接着剤層３の近傍で紙基材２ａの中央部側に位置させて形成されていることにより、面剥離６が切込み線５を越えて紙基材２ａの中央部側に及ぶことがなく、これにより、下側の紙基材２ａの表面に記載されている情報が面剥離６によって損傷することがない。
【００２１】
図５（イ），（ロ）は、第二実施例を示し、上記第一実施例では接着剤層３を帯状に形成していたのに対して、この第二実施例は点状の接着剤層３を所定間隔で一列状に形成するようにしたものである。このように、接着剤層３を点状とした場合にあって、ハーフカット状の切込み線５は、図５（イ）に示すように、各接着剤層３の近傍で、紙基材２ａの中央部側に位置させて直線状に形成したり、図５（ロ）に示すように、各接着剤層３の近傍で、紙基材２ａの中央部側に位置させて、各接着剤層３を夫々囲う円弧状に形成したりすることができる。
【００２２】
かかる構成にあっても、第一実施例と同様に、完全接着性接着剤からなる接着剤層３の強い接合力によって、帳票用紙としての各紙基材２ａが不要に分離することなく保持され、また、各紙基材２ａの分離操作時に生じる面剥離６（図３参照）の進行がハーフカット状の切込み線５で遮断され、該切込み線５で上下の両基材２ａ，２ａが分離されることとなる。
【００２３】
尚、上述した第一実施例及び第二実施例では、最上層紙以外の各紙基材２ａの表面にのみ、ハーフカット状の切込み線５を形成した例を示したが、図６に示す変形実施例のように、最下層紙以外の各紙基材２ａの裏面にもハーフカット状の切込み線５’を形成するようにしてもよい。この場合、紙基材２ａの強度保持のために、一枚の紙基材２ａの表裏面に形成される切込み線５，５’は若干位置をずらすことが望ましい。そして、このように、最下層紙以外の各紙基材２ａの裏面にもハーフカット状の切込み線５’を形成することにより、上下の両紙基材２ａ，２ａの分離操作時において、上側の紙基材２ａの裏面に面剥離が生じた場合に、該切込み線５’によってその進行が遮断され、該切込み線５’で上下の両基材２ａ，２ａを分離することができる。
【００２４】
図７，図８は、第三実施例を示し、この第三実施例は、貼着積層体としての窓付封筒１Ｂに本発明を適用したものである。窓付封筒１Ｂは、封筒本体を構成する所定形状の紙基材２ａの表側紙片部７に、打ち抜き加工によって窓部８が形成されており、該窓部８には、その周縁裏面に完全接着性接着剤を塗布して形成した接着剤層３によって、窓部８を透視可能に遮蔽する透明なフィルム基材２ｂの周縁が接合されている。また、前記接着剤層３の近傍で紙基材２ａの裏面には、ハーフカット状の切込み線５が、前記フィルム基材２ｂを囲繞するようにして形成されている。尚、図７に示す展開状態の窓付封筒１Ｂは、折り線９ａ，９ｂ，９ｃで折曲するとともに、糊代１０ａ，１０ｂを対向面に接合することにより封筒状とし、内容物を封入して使用に供される。
【００２５】
かかる構成にあって、使用済みの窓付封筒１Ｂを再生紙の原料にする場合には、窓付封筒１Ｂを展開するか、裏返すか、或いは封筒をふくらませて表側紙片部７の裏面を露出させた状態で、フィルム基材２ｂの一側縁を摘んで紙基材２ａから引き剥がすように分離操作を行うと、その分離操作時に、ハーフカット状の切込み線５で囲繞された内側部分に生じる紙基材２ａの面剥離によって、フィルム基材２ｂと、封筒本体を構成する紙基材２ａとを容易に分離することができる。この時、紙基材２ａに生じる面剥離がハーフカット状の切込み線５に達すると、該切込み線５によって面剥離の進行が遮断され、面剥離がフィルム基材２ｂを囲繞する切込み線５の外側に及ぶことはない。これにより、フィルム基材２ｂに残留する紙基材２ａを最小量にした状態で、窓付封筒１Ｂからフィルム基材２ｂを簡単に除去することができる。
【図面の簡単な説明】
【００２６】
【図１】第一実施例にかかる丁合帳票１Ａの外観斜視図である。
【図２】同上の丁合帳票１Ａの要部の拡大断面図である。
【図３】上下の紙基材２ａ，２ａを分離した状態を示す拡大断面図である。
【図４】上下の紙基材２ａ，２ａを分離した状態を示す外観斜視図である。
【図５】第二実施例にかかる接着剤層３と切込み線５の形態を示す部分拡大平面図である。
【図６】変形実施例にかかる丁合帳票１Ａの要部の拡大断面図である。
【図７】第三実施例にかかる窓付封筒１Ｂの裏面側から見た展開図である。
【図８】同上の窓付封筒１Ｂの要部の拡大断面図である。
【図９】（イ）は従来構成の丁合帳票の外観斜視図、（ロ）はその接合状態の部分拡大断面図である。
【図１０】（イ）は、従来構成の窓付封筒の平面図、（ロ）は要部の拡大断面図である。
【図１１】帳票用紙ａの表面に面剥離ｇが生じた状態を示す丁合帳票の外観斜視図である。
【符号の説明】
【００２７】
１Ａ  丁合帳票（貼着積層体）
１Ｂ  窓付封筒（貼着積層体）
２ａ  紙基材
２ｂ  フィルム基材
３  接着剤層
５，５’切込み線
６  面剥離
８  窓部
【図１】
2005119055.tif 000003
【図２】
2005119055.tif 000004
【図３】
2005119055.tif 000005
【図４】
2005119055.tif 000006
【図５】
2005119055.tif 000007
【図６】
2005119055.tif 000008
【図７】
2005119055.tif 000009
【図８】
2005119055.tif 000010
【図９】
2005119055.tif 000011
【図１０】
2005119055.tif 000012
【図１１】
2005119055.tif 000013